(57)【要約】【課題】この発明は、原稿の読取りから読み取った画像に対する処理までを対応するアイコンを選択するだけで自動で実行でき、ユーザ操作が簡単で分かり易い。また、アイコンを選択する画面も複数設定でき、ユーザ操作の柔軟性、視認性を向上できる。【解決手段】この発明は、所定の読取モードでの原稿の読取りからその読取った画像に対する処理をスキャンジョブ（読取処理）として設定しておき、そのスキャンジョブに対応づけられているアイコンが選択された際に、設定されているスキャンジョブを実行するようにしたものである。また、アイコンを選択する画面を複数ユーザ設定できるようにしたものである。【選択図】図２
2007174692.tif 000002
【特許請求の範囲】
【請求項１】
原稿の画像を読取る画像読取システムにおいて、
原稿の画像を読み取る読取手段と、
上記読取手段により原稿を読取る読取処理に関するスキャンパラメータとその読取処理により読み取られた読取画像に対する処理に関するジョブパラメータとにより定義される一連の処理をスキャンジョブとして管理する第１の管理手段と、
上記第１の管理手段により管理されているスキャンジョブに対応づけられるアイコンの表示内容を管理する第２の管理手段と、
特定のユーザに使用が限定されていない少なくとも１つのスキャンジョブに対応づけられている各アイコンを管理するとともに、特定のユーザが使用する少なくとも１つのスキャンジョブに対応づけられている各アイコンと特定のユーザを識別するための情報とを対応づけて管理する第３の管理手段と、
上記第３の管理手段により管理されている特定のユーザが指定されてない場合、特定のユーザに使用が限定されていないアイコンを上記第２の管理手段に管理されている表示内容に基づいて表示し、上記第３の管理手段により管理されている特定のユーザが指定された場合、当該特定のユーザに対応づけられているアイコンを上記第２の管理手段に管理されている表示内容に基づいて表示する表示手段と、
上記表示手段により表示されているアイコンが指示された場合、当該アイコンに対応づけられている一連の処理のスキャンパラメータに基づく読取処理を行い、上記スキャンパラメータに基づく読取処理に続いて、上記読取画像を用いた当該アイコンに対応づけられている一連の処理のジョブパラメータに基づく処理を実行する実行手段と、
を具備したことを特徴とする画像読取システム。
【請求項２】
前記第２の管理手段は、スキャンジョブに対応するアイコンに表示するビットマップデータと文字列とを管理している、
ことを特徴とする前記請求項１に記載の画像読取システム。
【請求項３】
前記第１の管理手段は、さらに、スキャンジョブに対する認証情報を管理し、
前記表示手段は、上記認証情報が設定されているスキャンジョブに対応するアイコンには認証情報が設定されていることを示す情報を表示する、
ことを特徴とする前記請求項１又は２に記載の画像読取システム。
【請求項４】
さらに、ユーザから取得する情報とスキャンジョブに設定されている認証情報とに基づいて認証を行う認証手段を有し、
前記実行手段は、上記認証情報が設定されているスキャンジョブに対応するアイコンが指示された場合、前記認証手段により当該スキャンジョブに対する認証情報とユーザから取得する情報とによる認証が成功したのに基づいて当該スキャンジョブを実行する、
ことを特徴とする前記請求項３に記載の画像読取システム。
【請求項５】
さらに、ユーザが情報を入力するための操作手段を有し、
前記認証手段は、前記操作手段によりユーザが入力する情報と上記認証情報とを照合することにより認証を行う、
ことを特徴とする前記請求項３又は４に記載の画像読取システム。
【請求項６】
さらに、ユーザが所持する記憶媒体から情報を読み取るための記憶媒体読取手段を有し、
前記認証手段は、前記記憶媒体読取手段により記憶媒体から読み取った情報と上記認証情報とを照合することによりユーザ認証を行う、
ことを特徴とする前記請求項３又は４に記載の画像読取システム。
【発明の詳細な説明】
【技術分野】
【０００１】
この発明は、例えば、ネットワークに接続された複数の利用者が利用する共有スキャナとしてのディジタル複写機を用いた画像読取システムに関する。
【背景技術】
【０００２】
従来、複数のユーザ（利用者）が共有する読取手段を用いた画像読取システムは、例えば、共有する読取手段（スキャナ）としてのデジタル複写機と各ユーザが使用するパーソナルコンピュータ（ＰＣ）とがネットワークで接続される環境で利用される。
【０００３】
このような画像読取システムで、原稿の読取を行うユーザは、共有するスキャナとしてのデジタル複写機へ行き、原稿の読取りを指示する。そして、この読取った画像を各ユーザのＰＣの記憶部やファイルサーバなどに送った後、ユーザがＰＣにて画像に対する処理を指定することにより処理を実行している。
【０００４】
このため、ユーザは、原稿の読取りからその読取画像に対する処理を実行するまで、多くのステップからなるユーザ操作が必要となり、複雑で分かり難いものであった。
【０００５】
また、共有スキャナとしてのデジタル複写機が誰でも利用できるため、読取った画像が誰のものであるか対応づけるためには、予め全てのユーザ情報を登録して管理したり、ユーザが多くのステップからなるユーザ操作を行わなければならないので、操作が面倒であった。
【特許文献１】特開平９−２８４４４８号公報
【特許文献２】特開平１０−２７１２４８号公報
【特許文献３】特開平１０−３０８８３５号公報
【発明の開示】
【発明が解決しようとする課題】
【０００６】
上記したように、複数の利用者が共有する読取装置で原稿の読取りを行う場合に、読取った画像に対する処理を実行するための操作が複雑で分かり難いものであったり、読取った画像が誰のものであるかを対応づけることが面倒であるという欠点を除去したもので、複数の利用者が共有する読取装置で原稿の読取りを行う場合に、読取った画像に対する処理を実行するための操作が簡単で分かり易く、読取った画像が誰のものであるかを対応づけることが容易である画像読取システムを提供することを目的とする。
【課題を解決するための手段】
【０００７】
この発明の一形態によれば、原稿の画像を読取るものにおいて、原稿の画像を読み取る読取手段と、上記読取手段により原稿を読取る読取処理に関するスキャンパラメータとその読取処理により読み取られた読取画像に対する処理に関するジョブパラメータとにより定義される一連の処理をスキャンジョブとして管理する第１の管理手段と、上記第１の管理手段により管理されているスキャンジョブに対応づけられるアイコンの表示内容を管理する第２の管理手段と、特定のユーザに使用が限定されていない少なくとも１つのスキャンジョブに対応づけられている各アイコンを管理するとともに、特定のユーザが使用する少なくとも１つのスキャンジョブに対応づけられている各アイコンと特定のユーザを識別するための情報とを対応づけて管理する第３の管理手段と、上記第３の管理手段により管理されている特定のユーザが指定されてない場合、特定のユーザに使用が限定されていないアイコンを上記第２の管理手段に管理されている表示内容に基づいて表示し、上記第３の管理手段により管理されている特定のユーザが指定された場合、当該特定のユーザに対応づけられているアイコンを上記第２の管理手段に管理されている表示内容に基づいて表示する表示手段と、上記表示手段により表示されているアイコンが指示された場合、当該アイコンに対応づけられている一連の処理のスキャンパラメータに基づく読取処理を行い、上記スキャンパラメータに基づく読取処理に続いて、上記読取画像を用いた当該アイコンに対応づけられている一連の処理のジョブパラメータに基づく処理を実行する実行手段とから構成されている。
【発明の効果】
【０００８】
この発明によれば、複数の利用者が共有する読取装置で原稿の読取りを行う場合に、読取った画像に対する処理を実行するための操作が簡単で分かり易く、読取った画像が誰のものであるかを対応づけることが容易である画像読取システムを提供できる。
【発明を実施するための最良の形態】
【０００９】
以下、この発明の実施の形態について図面を参照して説明する。
【００１０】
図１（ａ）、（ｂ）は、この発明の画像読取システムが構成されるネットワークの接続例を示す図である。
【００１１】
この画像読取システムを利用する環境としてのネットワークは、図１（ａ）に示すように、例えば、オフィス内で構築され、複数のユーザが利用する複数のパーソナルコンピュータ（ＰＣ）１が接続されるとともに、複数のユーザが共有して利用できる原稿を読取るスキャナを有するディジタル複写機２が接続されている。
【００１２】
また、図１（ｂ）に示すように、図１（ａ）と同様に複数のＰＣ１が接続されるネットワークにコントローラ３が接続され、そのコントローラ３に複数のユーザが共有するスキャナとしてのディジタル複写機３が接続された構成であっても良い。
【００１３】
上記ディジタル複写機２あるいはコントローラ３には、ユーザに対する操作案内や操作を指示する指示キーとしてのアイコンなどが表示されるタッチパネルが内蔵された表示画面、０〜９までの数字を入力するテンキーやコピー開始あるいはスキャン開始を指示するスタートボタンなどのハードキーを有する操作パネル（図示しない）が設けられている。
【００１４】
図２は、この画像読取システムの構成を示すブロック図である。
【００１５】
すなわち、この画像読取システムは、原稿を読取る画像読取部１１、読取った画像を記憶して保管する画像保管部１２、ユーザに対する案内画面や種々のアイコンなどを操作パネル上の表示部に表示する画面表示部１３、ユーザが種々の設定を入力したり、処理の開始を指示する操作パネルなどの指示入力部１４、原稿の読取りから読取った原稿までの種々の条件や処理内容などを示すスキャンジョブ（読取処理）を実行するスキャンジョブ実行部１５、特定のユーザにスキャンジョブの実行を許可する実行権の判定を行う実行権判定部１６、複数種類設定されるスキャンジョブを選択するスキャンジョブ選択画面のうち特定のユーザに使用を許可する使用権の判定を行う使用権判定部１７、スキャンジョブを選択するスキャンジョブ選択画面を設定するスキャンジョブ選択画面設定部１８、表示画面の管理を行う画面管理部１９、種々のスキャンジョブを指示する指示キーとしてのアイコンを管理するアイコン管理部２０、これらのアイコンに対応づけられるスキャンジョブが管理されるスキャンジョブ管理部２１、スキャンジョブに登録される種々の動作モードや処理内容を示すパラメータを管理するパラメータ管理部２２、ネットワークとの通信制御を行う通信制御部２３、およびこれらの各構成要素を制御する制御部２４から構成されている。
【００１６】
上記画像読取部１１は、ユーザにより所定位置にセットされる原稿を１枚づつ読取る機能とともに、図示しない自動給紙装置により１枚づつ給紙される複数の原稿からなる文書単位の原稿を読取る機能を有している。
【００１７】
上記画面管理部１９は、ユーザによる上記操作パネルへのキー入力により表示部に表示する画面を管理する画面管理テーブル１９ａを有している。
【００１８】
上記アイコン管理部２０は、操作パネルの表示部に表示するアイコンを管理するアイコン管理テーブル２０ａを有している。
【００１９】
上記スキャンジョブ管理部２１は、ユーザ操作により実行するスキャンジョブを管理するスキャンジョブ管理テーブル２１ａを有している。
【００２０】
上記各構成要素は、図１（ａ）に示すようなネットワーク環境の場合、ディジタル複写機２内に具備され、図１（ｂ）に示すようなネットワーク環境の場合、画像読取部１１がディジタル複写機２に具備され、その他の構成要素がコントローラ３に具備される。なお、上記各構成要素は、ネットワークで接続されるどの機器に具備されていても良い。
【００２１】
次に、原稿の読取り処理に連続して読取った画像に対して行う種々の処理をスキャンジョブとして設定する場合について図３を参照しつつ説明する。
【００２２】
この画像読取システムでは、図３に示すように、原稿Ｄを画像読取部１１により読取り、その読取った画像が画像保管部１２に一時保管される。そして、この画像保管部１２に保管された画像は、データベースに登録されたり、メールとして送信されたり、ユーザごとに設けられているユーザ領域に送られたりする。
【００２３】
このように、原稿を読取って一時保管し、さらに、その読取画像に対して行う種々の処理をスキャンジョブとする。このスキャンジョブを実行する場合、原稿読取時の読取モード、および読取画像に対する処理内容が種々のパラメータにより設定される。
【００２４】
ここで、原稿画像の読み取りには、原稿サイズ、解像度、読み取りモード、濃度、ディザ指定などの種々のパラメータが必要である。また、読取った画像の保存には、ユーザ（入力者）名またはユーザ（入力者）ＩＤ、入力日時、画像ＩＤなどのパラメータが必要である。これらの画像の読取処理に必要なパラメータと画像の保存に必要なパラメータとをスキャンパラメータと呼ぶ。
【００２５】
また、読取った画像に対する処理には、多様な種類があり、その種類により必要となるパラメータも様々に異なる。例えば、画像をデータベースに登録する場合、登録先のキャビネット名、フォルダ名、ファイル名、文書名などのパラメータが必要であり、読取画像をメールで送信する場合、差出人、宛先、同報や親展や速達などの送信方法などのパラメータが必要である。これらの読取った画像に対する種々の処理に必要なパラメータをジョブパラメータと呼ぶ。
【００２６】
これらのスキャンパラメータとジョブパラメータとを用いて、原稿の読取りから読取画像に対する処理までの一連の処理をスキャンジョブとして設定できる。
【００２７】
例えば、図３に示すように、スキャンジョブＡは、原稿サイズＡ４、解像度２００ｄｐｉ、文字読み取りモードで原稿をスキャンし、ユーザ名がＵＳＥＲ１、処理の日付が９８年１０月８日の画像として、その画像を経理部キャビネットの設備計画フォルダの予算ファイルの９９年度という文書としてデータベース登録処理を行うという一連の処理（スキャンジョブ）である。
【００２８】
また、スキャンジョブＢは、原稿サイズＡ４、解像度２００ｄｐｉ、文字読み取りモードで原稿をスキャンし、ユーザ名がＵＳＥＲ１、処理の日付が９８年１０月８日の画像として、その画像を差出人が総務部、宛先が各部長、タイトルが通達のメールとして同報でメール送信処理を行うという一連の処理（スキャンジョブ）である。
【００２９】
また、スキャンジョブＣは、原稿サイズＡ４、解像度２００ｄｐｉ、文字読み取りモードで原稿をスキャンし、ユーザ名がＵＳＥＲ１、処理の日付が９８年１０月８日の画像として、その画像を例えばネットワークに接続されるＰＣ１の記憶部（図示しない）内に確保されているユーザ領域に移動してユーザの手動による処理待ちとする一連の処理（スキャンジョブ）である。
【００３０】
上記のスキャンジョブＡ、Ｂ、Ｃのように、スキャンジョブとは、少なくとも原稿画像の読み取り処理と、その読取処理により読み取った画像に対する処理とを連続して実行する自動処理の内容であり、複数のパラメータにより設定されるものである。
【００３１】
次に、スキャンジョブを実行する際に、ユーザが選択するスキャン機能の選択画面について図４に示すスキャン機能の選択画面の例を参照して説明する。
【００３２】
この画像読取システムでは、ユーザがスキャン機能を選択し、その選択された機能に対応して表示されるスキャンジョブ選択画面から１つのスキャンジョブを指示することにより実行するスキャンジョブを決定するようになっている。
【００３３】
すなわち、ユーザは、スキャンジョブを実行する際、画像読取部１１に原稿をセットし、操作パネルの表示部３０に表示されるスキャン機能の選択画面からスキャン機能を選択する。
【００３４】
このスキャン機能の選択画面には、図４に示すように、複数ユーザが共通して使用する共通スキャンを選択する共通スキャンアイコン３１と、特定のユーザが使用する個別スキャン（プライベートスキャン）を選択する個別スキャンアイコン３２とが表示される。
【００３５】
共通スキャンは、複数のユーザが共通して使用できるスキャンジョブ選択画面を選択する機能である。例えば、全てのユーザが自由に使用できるスキャンジョブと、特定のユーザのみが利用するが、特定のクループや個人としては分類できないようなスキャンジョブと、を選択するスキャンジョブ選択画面を選択する機能として用いられる。
【００３６】
また、個別スキャンは、特定のユーザが使用するスキャンジョブ選択画面を選択する機能である。例えば、特定のユーザのみが利用するスキャンジョブを選択するスキャンジョブ選択画面、あるいはネットワークが構築されているオフィス内の特定の部課や特定のプロジェクトグループに属するユーザのみが利用するスキャンジョブを選択するスキャンジョブ選択画面を選択する機能として用いられる。
【００３７】
また、個別スキャンでは、複数のスキャンジョブ選択画面からユーザが使用する画面を選択するため、例えば、操作パネルのテンキーにより特定の数字を入力してスキャンジョブ選択画面を選択するようになっている。
【００３８】
次に、図５に示すスキャンジョブ選択画面の例を参照して、スキャンジョブ選択画面とスキャンジョブとの関係を詳細に説明する。
【００３９】
図５は、操作パネルの表示部３０に表示されたスキャンジョブ選択画面４０の表示例を示す図である。図５に示すように、スキャンジョブ選択画面４０は、その画面に付与されているタイトルを示す文字列、種々のスキャンジョブに対応づけられている複数のアイコン４１、４２、４３、読取モードを設定するスキャンパラメータキー４４、および操作の取り消しを指示する取消キー４５からなる。さらに、上記アイコン４１、４２、４３は、自動処理種別ビットマップと自動処理説明文字列とからなる。
【００４０】
自動処理種別ビットマップは、スキャン画像に対する自動処理の種別を表示するもので、例えば、データベース登録処理やメール送信処理を表現するビットマップである。
【００４１】
さらに、上記自動処理種別ビットマップの表示だけでは自動処理の内容をユーザが理解し難いため、自動処理説明文字列がスキャン画像に対する自動処理の内容を表示する。例えば、読取画像を登録するデータベースの登録先やメールの送信方法を表現する文字列である。
【００４２】
つまり、この自動処理説明文字列は、スキャンジョブ、すなわちスキャンとスキャンパラメータとジョブとジョブパラメータの組につけられた呼び名と考えることもできる。
【００４３】
たとえば、図５に示すスキャンジョブ選択画面４０で、上段左のアイコン４１は、上記したスキャンジョブＡと対応づけられている。従って、ユーザにより上段左のアイコン４１が指示された場合、スキャンジョブＡとして定義されたスキャンパラメータに従って読取処理が実行され、この読取処理に連続して、スキャンジョブＡとして定義されたジョブパラメータに従って読取画像に対する処理が実行される。ここでは、ジョブパラメータに従って実行される処理として、読取画像をデータベースに登録するプログラムにより、読取画像がデータベースのフォルダ名「設備計画」に登録される処理が実行される。このようなスキャンジョブＡの処理をユーザがわかりやすくするため、アイコン４１に設備計画と表示している。
【００４４】
また、図５に示すスキャン選択画面４０で、上段中のアイコン４２は、スキャンジョブＢと対応づけられている。このアイコン４２が指示された場合、スキャンジョブＢとして定義されたスキャンパラメータに従ってスキャンが実行され、スキャンジョブＢとして定義されたジョブパラメータに従って読取画像をメールで送信する処理が実行される。ここでは、ジョブパラメータに従って実行される処理として、メール送信プログラムにより、読取画像を「通達同報」でメール送信する処理が実行される。このようなスキャンジョブＢの処理をユーザが分かり易くするため、アイコン４２に通達同報と表示している。
【００４５】
また、図５に示すスキャン選択画面４０で、上段右のアイコン４３は、スキャンジョブＣと対応づけられている。このアイコン４３が指示された場合、スキャンジョブＣとして定義されたスキャンパラメータに従って読取処理が実行され、スキャンジョブＣとして定義されたジョブパラメータに従って処理が実行される。この場合には、ジョブパラメータが存在しないため、スキャンジョブＣとして読取った画像をユーザ領域に移動する処理として、読取画像をユーザ領域に移動する処理が実行される。このようなスキャンジョブＣの処理をアイコン４３でユーザが分かり易くするため、アイコン４３に移動先のユーザ領域である「作業用」という文字列を表示している。
【００４６】
さらに、図５に示すスキャン選択画面４０で、上段右のアイコン４３には、特定のユーザにのみ実行が許可される実行権が設定されているスキャンジョブであることを示すために、鍵のマークのついたビットマップで表現されている。この実行権は、特定のユーザのみが実行できるスキャンジョブであることを示し、その特定ユーザの認証手段として予め設定されている暗証番号を知っているユーザが実行できるようになっている。
【００４７】
すなわち、ユーザがこのアイコン４３を選択した場合には、ユーザに対して暗証番号を入力することが求められる。そして、ユーザが暗証番号を入力すると、その入力された暗証番号が設定されている暗証番号と一致する場合に、そのスキャンジョブの実行を許可し、暗証番号が一致しない場合に、スキャンジョブの実行を許可しないようになっている。
【００４８】
上記のように、スキャンジョブに対応づける指示キーをスキャンジョブの内容をユーザが分かり易いアイコンで表示するようにしたものである。
【００４９】
これにより、スキャンジョブを指示する際、どのような内容のスキャンジョブかが分かり易い。
【００５０】
また、アイコン上に実行権が設定されているスキャンジョブに対応づけられているアイコンであることを示すマークなどを表示するようにしたものである。
【００５１】
これにより、ユーザに対して、実行権が設定され、暗証番号を知らなければ実行できないスキャンジョブを分かり易く表示することができる。
【００５２】
また、上記例では、実行権の認証手段として暗証番号の入力により実行の許可不許可を判断したが、これに限らず、ユーザが所持する磁気カード、ＩＣカード、無線カードなどの記憶媒体に記憶されている内容を用いて実行権の認証を行っても良い。この場合、利用される記憶媒体に応じた記憶媒体読取装置（例えば、カードリーダ）を操作パネルの近傍に設け、実行権の設定されているスキャンジョブを実行する際に、記憶媒体の記憶内容を読取らせて認証を行う。
【００５３】
また、ユーザの指紋などの各ユーザ固有の情報により実行権の認証を行うようにしても良い。
【００５４】
上記のように、特定のユーザのみが実行できるスキャンジョブに対して、実行権を設定し、その実行権を暗証番号などにより認証し、実行権が認証された場合にのみスキャンジョブを実行するようにしたものである。
【００５５】
これにより、全てのユーザ情報を登録して管理することなく、特定のユーザが利用できるようなスキャンジョブを設定できる。
【００５６】
次に、スキャンジョブ選択画面の種類および属性について図６（ａ）、（ｂ）、（ｃ）を参照しつつ説明する。
【００５７】
図６（ａ）は、図４に示すような、スキャン機能の選択画面からディジタル複写機２を共有している任意のユーザが使用可能な「共通スキャン」を選択した際に操作パネルの表示部３０に表示されるスキャンジョブ選択画面５０の表示例を示すものである。
【００５８】
このスキャンジョブ選択画面５０は、画面番号が「０」で設定され、選択できるアイコン５１、５２、５３に対してアイコン番号が「１１、１２、１３」と定義されている。
【００５９】
図６（ｂ）は、図４に示すように、スキャン機能の選択画面から「個別スキャン」を選択し、さらに、ユーザが画面番号を入力することにより、ディジタル複写機２を共有しているユーザのうち画面番号を知っている特定のユーザだけが利用可能なスキャンジョブ選択画面６０の表示例を示す図である。
【００６０】
この場合、ディジタル複写機２を共有しているユーザのうち総務部のメンバだけが画面番号を知っていて、この画面番号を知っている総務部のメンバだけが使用可能な「総務部向け」のスキャンジョブ選択画面５０である。ただし、ここで総務部のメンバとは、あらかじめ登録され管理されている組織／メンバではなく、画面番号を知らされている総務部のメンバという意味であり、いわゆるユーザ管理とは無関係である（つまり、あらかじめすべての組織／ユーザを登録しておく必要はない）。
【００６１】
この「総務部向け」のスキャンジョブ選択画面５０は、画面番号が「１０」に設定され、選択できるアイコン６１、６２に対してアイコン番号が「２１、２２」と定義されている。
【００６２】
また、図６（ｂ）に示すスキャンジョブ選択画面５０でアイコン番号が「２１」と定義され、上段左に表示されるアイコン（自動処理種別ビットマップ＝メール、自動処理説明文字列＝部内同報）６１には、暗証番号「９８７６」が設定されている。
【００６３】
つまり、このアイコン６１に設定された暗証番号「９８７６」を知っている（スキャンジョブの実行権を持っている）ユーザだけが、このアイコンに対応づけられたスキャンジョブを実行することができる。ただし、ここでユーザとは、あらかじめ登録され管理されているユーザではなく、暗証番号を知らされているユーザという意味であり、いわゆるユーザ管理とは無関係である（あらかじめすべてのユーザに対して暗証番号を登録しておく必要はない）。
【００６４】
図６（ｃ）は、スキャン機能の「個別スキャン」で、ディジタル複写機２を共有しているユーザのうち、特定のユーザによって使用可能な「特定ユーザ（田中）向け」スキャンジョブ選択画面７０の表示例である。この「特定ユーザ向け」のスキャンジョブ選択画面７０は、画面番号が「１２３」に設定され、選択できるアイコン７１としてアイコン番号が「３１」と定義されている。
【００６５】
また、このスキャンジョブ選択画面７０を示す画面番号「１２３」には、この画面を使用できる使用権を認識するため暗証番号として「１２３４」が設定されている。
【００６６】
この使用権は、特定のユーザのみが使用できるスキャンジョブ選択画面であることを示し、その特定ユーザの認証手段として予め設定されている暗証番号を知っているユーザが実行できるようになっている。
【００６７】
すなわち、ユーザが個別スキャンを選択し、さらに、スキャンジョブ選択画面として画面番号「１２３」を指定した場合には、ユーザに対して暗証番号を入力することが求められる。そして、ユーザが暗証番号を入力すると、その入力された暗証番号が使用権として設定されている暗証番号と一致する場合に、そのスキャンジョブ選択画面の使用を許可し、暗証番号が一致しない場合に、スキャンジョブ選択画面の使用を許可せずに、画面番号「１２３」のスキャンジョブ選択画面を表示しないようになっている。
【００６８】
このため、この使用権の設定されているスキャンジョブ選択画面は、画面番号の入力だけで表示することができず、画面番号と暗証番号とを両方知っている特定ユーザだけしか使用することができない。
【００６９】
ただし、ここで特定ユーザとは、あらかじめ登録され管理されているユーザではなく、暗証番号を知らされ、画面使用を許可されているユーザという意味であり、いわゆるユーザ管理とは無関係である（あらかじめすべてのユーザと暗証番号を登録しておく必要はない）。
【００７０】
また、ここで特定のユーザとは、ただひとりのユーザであってもよいし複数人のユーザであってもよく、暗証番号の設定とその暗証番号の通知の運用次第である。
【００７１】
また、上記例では、使用権の認証手段として暗証番号の入力により指定されるスキャンジョブ選択画面の使用の許可不許可を判断したが、これに限らず、ユーザが所持する磁気カード、ＩＣカード、無線カードなどの記憶媒体に記憶されている内容を用いて使用権の認証を行っても良い。この場合、利用される記憶媒体に応じた記憶媒体読取装置（例えば、カードリーダ）を操作パネルの近傍に設け、使用権の設定されているスキャンジョブ選択画面が指定された際に、記憶媒体の記憶内容を読取らせて認証を行う。
【００７２】
また、ユーザの指紋などの各ユーザ固有の情報により使用権の認証を行うようにしても良い。
【００７３】
上記のように、特定のユーザのみに使用が許可されるスキャンジョブ選択画面に対して、使用権を設定し、その使用権を暗証番号などにより認証し、使用権が認証された場合にのみスキャンジョブ選択画面を表示するようにしたものである。
【００７４】
これにより、全てのユーザ情報を登録して管理することなく、特定のユーザのみが使用できるようなスキャンジョブ選択画面を設定できる。
【００７５】
次に、使用権や実行権が設定されている場合のユーザ操作について図６（ｂ）、（ｃ）を参照して具体的に説明する。
【００７６】
たとえば、図６（ｂ）に示すスキャンジョブ選択画面６０でアイコン６１を指示する場合について説明する。
【００７７】
すなわち、「総務部向け」として設定されているスキャンジョブ選択画面６０の画面番号「１０」を入力した場合、この画面には使用権が設定されていないので、暗証番号の入力なしで、図６（ｂ）に示すように、「総務部向け」スキャンジョブ選択画面６０が表示される。
【００７８】
そして、図６（ｂ）に示すスキャンジョブ選択画面６０で、ユーザがスキャンジョブ「メール：部内同報」と表示されているアイコン６１を選択する。すると、このアイコンに対応づけられているスキャンジョブには実行権が設定されているため、ユーザがスキャンジョブの実行を許可するための実行権を認証するため暗証番号を入力する。この際、ユーザが正しい暗証番号「９８７６」が入力されると、このスキャンジョブの実行が開始される。
【００７９】
また、図６（ｃ）に示すスキャンジョブ選択画面６０でアイコン６１を指示する場合について説明する。
【００８０】
すなわち、「特定ユーザ（田中）向け」として設定されているスキャンジョブ選択画面７０の画面番号「１２３」を入力した場合、このスキャンジョブ選択画面７０には使用権が設定されているため、使用権を認証するための暗証番号の入力が求めらる。この際、ユーザが正しい暗証番号「１２３４」を入力すると、「特定ユーザ（田中）」向けのスキャンジョブ選択画面７０が表示される。そして、「ユーザ：雑用」と表示されているアイコン７１を選択して、スタートボタンを押下すると、このアイコン７１に対応づけられているスキャンジョブには実行権は設定されていないので、暗証番号の入力なしで、このスキャンジョブの実行が開始される。
【００８１】
図７は、画面管理テーブル１９ａの一例を示す図であり、図８はアイコン管理テーブル２０ａの一例を示す図であり、図９はスキャンジョブ管理テーブル２１ａの一例を示す図である。
【００８２】
上記画面管理テーブル１９ａは、複数のスキャンジョブ選択画面を管理しており、スキャンジョブを選択する選択画面に付与された画面番号、使用権の設定の有無、暗証番号、表示文字列、表示アイコン番号の項目からなる。
【００８３】
例えば、図７に示すように、画面番号「０」には使用権が設定されておらず、画面タイトルは「共通」であることが設定／管理されている。また、画面番号「１０」には使用権が設定されておらず、画面タイトルは「総務部」であることが設定／管理されている。また、画面番号「１２３」には、使用権が設定されており、使用権確認のための暗証番号「１２３４」を暗号化したもの（ｆ()は暗号化を示す）と、画面タイトルは「田中」であることが設定／管理されている。
【００８４】
また、上記アイコン管理テーブル２０ａは、上記画面管理テーブル１９ａにより管理される選択画面に対応して、各画面で表示するアイコンの番号、そのアイコンを表示する際の表示ビットマップのファイル名、各アイコンとともに表示する表示文字列、そのアイコンが対応づけられるスキャンジョブ番号、および表示位置を示すｘ座標、表示位置ｙ座標の各項目からなる。
【００８５】
例えば、図８に示す例では、アイコン番号「１１」には、データベースを表現した data1という名前のビットマップ、「設備計画」という表示文字列、このアイコンに対応づけられているスキャンジョブ番号「１」が設定／管理されている。スキャンジョブの内容は、スキャンジョブ管理テーブル（後述）のスキャンジョブ番号「１」を参照すれば得られる。
【００８６】
また、上記スキャンジョブ管理テーブル２１ａは、スキャンジョブごとに付与されるスキャンジョブ番号、実行権の設定の有無、実行権を認証するための暗証番号、スキャンジョブを実行するためのスキャンジョブプログラム名、スキャンジョブのスキャンパラメータファイル名、ジョブパラメータファイル名、読取画像に付与される画像ＩＤの各項目からなる。
【００８７】
例えば、図９に示す例では、スキャンジョブ番号「１」には、実行権は設定されておらず（任意のユーザが実行可能）、したがって暗証番号はなく、スキャン画像を引き渡すべきスキャンジョブプログラム名「database」、スキャンパラメータファイル名「sc0001」、ジョブパラメータファイル名「db0001」が設定／管理されている。画像ＩＤには、画像の読取り実行後に読取画像に割り当てられたＩＤが格納される。
【００８８】
また、スキャンジョブ番号「１６」には、実行権が設定されており（暗証番号を知らされているユーザだけが実行可能）、暗証番号「９８７６」を暗号化したもの（ｆ()は暗号化を示す）と、読取画像を引き渡すべきスキャンジョブプログラム名「sendmail」、スキャンパラメータファイル名「sc0016」、ジョブパラメータファイル名「ml0008」が設定／管理されている。画像ＩＤには、画像読取り実行後に読取画像に割り当てられたＩＤが格納される。
【００８９】
次に、図７〜９に示す画像管理テーブル１９ａ、アイコン管理テーブル２０ａ、スキャンジョブ管理テーブル２１ａを参照して実行される処理について具体的に説明する。
【００９０】
例えば、まず、スキャン機能として個別スキャンが選択されると、スキャンジョブ選択画面の画面番号の入力が求められる。ここで、例えば画面番号「１０」が入力された際、画面管理テーブル１９ａを参照して、画面番号「１０」に対して使用権の設定されていないことを判断する。この場合、使用権が設定されていないため、暗証番号の入力無しで、「総務部」という表示文字列を持った、図６（ｂ）に示すような総務部向けスキャンジョブ選択画面６０を表示する。
【００９１】
同様に、画面番号として「１２３」が入力された際、画面管理テーブル１９ａを参照して、画面番号「１２３」の使用権の設定されていることを判断する。この場合、使用権が設定されているため、暗証番号の入力を案内し、ユーザにより入力される暗証番号が予め設定されている暗証番号（１２３４）と一致するかにより使用権の認証を行う。ここで、暗証番号により使用権が認証されると、「田中」という表示文字列を持った、図６（ｃ）に示すような特定ユーザ（田中）向けというスキャンジョブ選択画面７１を表示する。
【００９２】
また、上記スキャンジョブ選択画面を表示する場合、アイコン管理テーブル２０ａも参照して、表示するアイコンの表示ビットマップと表示文字列とを取り出してアイコンを構成する。そして、ｘ座標とｙ座標とで特定される位置にアイコンを表示する。
【００９３】
そして、スキャンジョブ選択画面でアイコンが選択された場合には、アイコン管理テーブル２０ａを参照して、アイコン番号に対応するスキャンジョブ番号を求め、スキャンジョブの詳細情報を得る。
【００９４】
例えば、図８に示すように、アイコン「１１」が選択された場合には、対応するスキャンジョブ番号「１」でスキャンジョブ管理テーブル２１ａを参照して、実行権が設定されていないことを判断し、スタートボタン押下を待つ。そして、スタートボタンが押下されたら、スキャンパラメータファイル「SC0001」で指定されているスキャンパラメータで原稿の読取り（スキャン）を実行して読取画像（スキャン画像）にユーザ名、日付、画像ＩＤを付与して画像保管部１２に格納する。
【００９５】
さらに、すべての原稿の読み取りを終了したら、ジョブパラメータファイル「db0001」で指定されているジョブパラメータとともに、格納した画像ＩＤの画像をスキャンジョブプログラム「database」に引き渡して、これに基づいてデータベースへの登録処理を実行する。
【００９６】
また、図８に示すように、アイコン「２１」が選択された場合、対応するスキャンジョブ番号「１６」でスキャンジョブ管理テーブル２０ａを参照する。このスキャンジョブ番号「１６」には実行権が設定されているので、暗証番号の入力画面を表示して暗証番号の入力を求める。そして、ユーザにより入力された暗証番号があらかじめ設定管理されている暗証番号（９８７６）と一致しているかを判定する。
【００９７】
暗証番号が一致している場合には、スタートボタン押下を待つ。そして、スタートボタンが押下されたら、スキャンパラメータファイル「SC0016」で指定されているスキャンパラメータで原稿の読取を実行して画像ＩＤを付与して画像保管部１２に格納する。
【００９８】
すべての原稿の読み取りを終了したら、ジョブパラメータファイル「ml0008」で指定されているジョブパラメータとともに、格納した画像ＩＤの画像をスキャンジョブプログラム「sendmail」に引き渡して、これに基づいて処理する。
【００９９】
次に、スキャンジョブを実行するためのユーザ操作の流れについて図１０に示すフローチャートを参照しつつ説明する。
【０１００】
すなわち、スキャンジョブを実行しようとするユーザは、まず、ディジタル複写機２の前へ行き、ディジタル複写機２が提供している複合機能の中からスキャン機能を選択して機能選択ボタンを押す（ステップ１）。すると、ディジタル複写機２の操作パネルの表示部３０には、図４に示すように、共通スキャン、個別スキャンなどのスキャナ機能を選択するアイコンが表示される。
【０１０１】
この表示に対してユーザが共通スキャンを選択した場合、共通スキャンに属するスキャンジョブを選択するアイコンの選択画面が表示される。ユーザは、この画面に表示されているアイコンからスキャンジョブを１つ選択する（ステップ２）。
【０１０２】
この際、そのアイコンが指定するスキャンジョブに実行権が設定されている場合には、表示部３０に暗証番号の入力を求める案内が表示される（ステップ３）。ユーザは、正しく暗証番号を入力して、スタートボタンを押す（ステップ４）。すると、画像読取システムがアイコンに対応づけられているスキャンジョブの実行が開始される。
【０１０３】
また、ユーザが選択したアイコンにより指定したスキャンジョブに実行権が設定されていない場合には、ユーザは、暗証番号の入力を行わずに、スタートボタンを押す（ステップ５）。すると、画像読取システムがアイコンに対応づけられているスキャンジョブの実行を開始する。
【０１０４】
また、上記ステップ１で、ユーザが個別（プライベート）スキャンを選択した場合、操作パネルの表示部３０にスキャンジョブ選択画面を指定する入力画面が表示される。これは、個別スキャンに属する複数のスキャンジョブ選択画面からユーザが利用したいスキャンジョブを選択するためのスキャンジョブ選択画面を表示させるため、ユーザが表示させたいスキャンジョブ選択画面の画面番号を操作パネルのテンキーなどにより入力する（ステップ６）。
【０１０５】
この際、ユーザが画面番号で指示したスキャンジョブ選択画面に対して使用権が設定されている場合、ユーザは、操作パネルのテンキー等により暗証番号を入力する（ステップ７）。すると、暗証番号が正しく入力されていれば、指示した画面番号のスキャンジョブ選択画面を表示する。ユーザは、表示されたスキャンジョブ選択画面から実行しようとするスキャンジョブに対応づけられているアイコンを選択して指示し（ステップ８）、スタートボタンを押す（ステップ９）。すると、画像読取システムがアイコンに対応づけられているスキャンジョブの実行を開始する。
【０１０６】
また、上記ステップ６で、入力した画面番号に使用権が設定されていない場合、暗証番号の入力なしで、指定されたスキャンジョブ選択画面を操作パネルの表示部３０に表示される。ユーザは、表示部３０に表示されているスキャンジョブに対応づけられているアイコンを１つ選択して指示する（ステップ１０）。
【０１０７】
この際、そのアイコンが指定するスキャンジョブに実行権が設定されている場合には、表示部３０に暗証番号の入力を求める案内が表示される（ステップ３）。ユーザは、正しく暗証番号を入力して、スタートボタンを押す（ステップ４）。すると、画像読取システムがアイコンに対応づけられているスキャンジョブの実行が開始される。
【０１０８】
また、ユーザが選択したアイコンにより指定したスキャンジョブに実行権が設定されていない場合には、ユーザは、暗証番号の入力を行わずに、スタートボタンを押す（ステップ５）。すると、画像読取システムがアイコンに対応づけられているスキャンジョブの実行を開始する。
【０１０９】
次に、画像読取システムがユーザにより指示されたスキャンジョブを実行する際の処理の流れについて図１２に示すフローチャートを参照しつつ説明する。
【０１１０】
まず、複合機能を提供しているディジタル複写機２の機能選択ボタンによりスキャンが指定されると、図４に示すように、操作パネルの表示部３０に、利用するスキャン機能が共通スキャンか個別スキャンかを選択させる選択画面を表示する（ステップ２１）。制御部２４は、この選択画面からスキャン機能として共通スキャンが選択されたか個別スキャンが選択されたかを判断する（ステップ２２）。
【０１１１】
この判断により共通スキャンが選択されたと判断した場合、制御部２４は、画面管理テーブル１９ａの画面番号「０」のテーブルを参照して、使用権の設定されていない、「共通」という表示文字列を持った、共通スキャンに対応するスキャンジョブ選択画面を表示する（ステップ２３）。
【０１１２】
そして、このスキャンジョブ選択画面で表示されているアイコンからユーザがアイコンを選択した際、制御部２４は、アイコン管理テーブル２０ａおよびスキャンジョブ管理テーブル２１ａにより選択されたアイコンに対応づけられているスキャンジョブに実行権が設定されているか否かを判断する（ステップ２４）。
【０１１３】
この判断により実行権が設定されていると判断した際、制御部２４は、スキャンジョブを実行するための暗証番号の入力画面を表示する（ステップ２５）。この表示画面に対してユーザが暗証番号を入力した際、実行権判定部１６は、入力された暗証番号がアイコン管理テーブル２０ａおよびスキャンジョブ管理テーブル２１ａで管理している暗証番号と一致するか否かを判断する（ステップ２６）。この判断により暗証番号が一致ないと判断した際、制御部２４は、上記ステップ２３へ戻って、スキャンジョブ選択画面を再び表示する。
【０１１４】
また、暗証番号が一致したと判断した際、あるいは上記ステップ２４で、ユーザがアイコンにより指定したスキャンジョブに実行権が設定されていないと判断した際、制御部２４は、スタートボタンが押されたか否かを判断する（ステップ２７）。
【０１１５】
この際、ユーザがスタートボタンを押さずに、読取モードの設定ボタンを押した場合、制御部２４は、読取モードの設定ボタンが押されたことを判断し、図１１に示すように、読取モードの設定画面を表示する。この表示により、ユーザが読取りモードを設定すると、制御部２４は、アイコン管理テーブル２０ａおよびスキャンジョブ管理テーブル２１ａに記憶されている選択されたアイコンに対するスキャンパラメータファイルの内容をユーザにより指定された内容に変更して再設定する（ステップ２９）。
【０１１６】
また、上記ステップ２７で、ユーザによりスタートボタンが押された場合、制御部２４は、まず、選択されているスキャンジョブの内容をスキャンジョブ管理テーブル２１ａにより管理されているスキャンパラメータを参照してスキャン処理を実行する（ステップ３０）。さらに、制御部２４は、読取った画像にユーザ名、日付、画像ＩＤの情報を付与して画像保管部１２に保管する（ステップ３１）。
【０１１７】
そして、原稿の読取りが終了した際（ステップ３２）、制御部２４は、画像保管部１２に保管されている画像をジョブパラメータファイルとともにジョブプログラムに与える（ステップ３３）。これにより、ユーザが指示したスキャンジョブで設定されている読取画像に対する処理が実行される。
【０１１８】
また、上記ステップ２２で、ユーザにより個別スキャン機能が選択された際、制御部２４は、スキャンジョブ選択画面を指定する画面番号の入力画面を表示する（ステップ３４）。この入力画面に対してユーザが画面番号を入力した際、制御部２４は、スキャンジョブ選択画面管理テーブル１９ａを参照して、ユーザが入力した画面番号に対応するスキャンジョブ選択画面に対して使用権が設定されているか否かを判断する（ステップ３５）。
【０１１９】
この判断により画面番号に使用権が設定されていると判断した際、制御部２４は、使用権の暗証番号の入力画面を表示する（ステップ３６）。この表示画面に対してユーザにより暗証番号が入力された際、制御部２４は、入力された暗証番号がスキャンジョブ選択画面管理テーブル１９ａで管理している暗証番号と一致しているか否かを判断する（ステップ３７）。この判断により暗証番号が一致していないと判断した際、制御部２４は、上記ステップ３４へ戻り、スキャンジョブ選択画面を指定する入力画面を表示する。
【０１２０】
また、ユーザが入力した暗唱番号が一致していると判断した際、あるいはユーザが入力した画面番号に使用権が設定されていない場合、制御部２４は、スキャンジョブ選択画面管理テーブル１９ａにより入力された画面番号に対応するスキャンジョブ選択画面を判断して操作パネルの表示部に表示する（ステップ３８）。そして、制御部２４は、上記ステップ２４へ進み、上記ステップ２４〜上記ステップ３３までの処理を実行する。
【０１２１】
上記のように、所定の読取モードでの原稿の読取りからその読取った画像に対する処理をスキャンジョブ（読取処理）として設定しておき、そのスキャンジョブに対応づけられているアイコンが選択された際に、設定されているスキャンジョブを実行するようにしたものである。
【０１２２】
これにより、原稿の読取りから読み取った画像に対する処理までを対応するアイコンを選択するだけで自動で実行でき、ユーザ操作が簡単で分かり易い。
【図面の簡単な説明】
【０１２３】
【図１】この発明の実施の形態に係わる画像読取システムが構成されるネットワーク環境の概略構成を示す図。
【図２】画像読取システムの構成を示すブロック図。
【図３】スキャンジョブの流れを説明するための図。
【図４】スキャン機能の選択画面の表示例を示す図。
【図５】スキャンジョブ選択画面の表示例を示す図。
【図６】スキャンジョブ選択画面の表示例を示す図。
【図７】画像管理テーブルの例を示す図。
【図８】アイコン管理テーブルの例を示す図。
【図９】スキャンジョブ管理テーブルの例を示す図。
【図１０】ユーザ操作の流れを説明するためのフローチャート。
【図１１】読取モードの設定画面の表示例を示す図。
【図１２】スキャンジョブを実行する際の流れを説明するためのフローチャート。
【符号の説明】
【０１２４】
２…デジタル複写機
１１…画像読取部
１２…画像保管部
１３…画面表示部
１４…指示入力部
１５…スキャンジョブ実行部
１６…実行権判定部
１７…使用権判定部
１８…スキャンジョブ選択画面設定部
１９…画面管理部
１９ａ…画面管理テーブル
２０…アイコン管理部
２０ａ…アイコン管理テーブル
２１…スキャンジョブ管理部
２１ａ…スキャンジョブ管理テーブル
２２…パラメータ管理部
２３…通信制御部
２４…制御部
３０…表示部
４０、５０、６０、７０…スキャンジョブ選択画面
４１〜４３、５１〜５３、６１、６２、７１…アイコン
【図１】
2007174692.tif 000003
【図２】
2007174692.tif 000004
【図３】
2007174692.tif 000005
【図４】
2007174692.tif 000006
【図５】
2007174692.tif 000007
【図６】
2007174692.tif 000008
【図７】
2007174692.tif 000009
【図８】
2007174692.tif 000010
【図９】
2007174692.tif 000011
【図１０】
2007174692.tif 000012
【図１１】
2007174692.tif 000013
【図１２】
2007174692.tif 000014